(57)【要約】      （修正有）【課題】外付けストロボユニットの設定を容易に行うことが可能なカメラを提供する。【解決手段】外部ストロボモードに設定されると、ＣＰＵは、ＬＣＤドライバを制御して、スルー画８５をＬＣＤ２６に表示するとともに、ＡＥ／ＡＦ検出回路から測光値を取得して露出値を設定する。その後、ＣＰＵは、この露出値に基づいて絞り値及びシャッタ速度を決定し、この設定絞り値をＬＣＤ２６に表示する。さらに、ＣＰＵは、焦点距離検出部からズーム位置を取得する。焦点距離が変更された場合には、開放絞り値の変化によって露出値が変化しないように実効絞り値を決定する。実効絞り値と設定絞り値が異なる場合には、ＣＰＵは、ＬＣＤドライバを制御して、設置絞り値８６と共に、絞り値が真値でないことを示す文字列８７を表示させる。【選択図】図６
2008046341.tif 000002
【特許請求の範囲】
【請求項１】
撮影レンズの焦点距離を変更可能であり、撮影者によって入力された絞り値に基づいて自動調光を行う外付けストロボユニットが着脱自在に装着されるカメラにおいて、
被写体輝度を測光する測光手段と、
前記測光手段の測光値に基づいて最適な露出値を設定する露出値設定手段と、
前記露出値設定手段によって設定された前記露出値に基づいて絞り値を設定する絞り値設定手段と、
前記絞り値設定手段によって設定された設定絞り値を表示する表示手段と、
前記外付けストロボユニットを使用して撮影を行う外部ストロボモードに設定された場合、前記焦点距離の変更によって前記撮影レンズの開放絞り値が変化した時に、前記露出値が変動しないように絞り値を変化させ、前記表示手段を制御して、前記設定絞り値とともに、この設定絞り値が真値でないことを表示させる制御手段とを備えていることを特徴とするカメラ。
【請求項２】
被写体を光電変換によって撮像する撮像手段と、前記撮像手段から出力された撮像信号を増幅する増幅手段とを備え、前記焦点距離の変更によって前記絞り値が所定の閾値となった場合、前記露出値が変動しないように、前記増幅手段のゲインを調節することを特徴とする請求項１記載のカメラ。
【請求項３】
前記外部ストロボモードに設定された場合、レリーズボタンが操作されて撮影処理を実行する際に、前記露出値設定手段は、内蔵ストロボを使用して撮影を行う場合よりも前記露出値を０．８〜１．５ＥＶ減じた値に設定することを特徴とする請求項１または２記載のカメラ。
【請求項４】
被写体距離を検出する測距手段を備え、前記測距手段によって検出された前記被写体距離が所定距離以下の場合、前記撮影処理を実行する際に、前記露出値設定手段は、前記露出値をさらに０．８〜１．５ＥＶ減じた値に設定することを特徴とする請求項３記載のカメラ。
【請求項５】
前記外付けストロボユニットが装着される装着部と、この装着部に前記外付けストロボユニットが装着されたことを検知する検知手段とを備え、前記検知手段によって前記外付けストロボユニットの装着が検知された時に、前記外部ストロボモードに自動設定されることを特徴とする請求項１ないし４のいずれか記載のカメラ。
【請求項６】
前記外付けストロボユニットが装着された後、撮影者によって前記外付けストロボユニットに絞り値が入力されるまで、前記表示手段には、前記焦点距離の変更に基づいて前記絞り値が更新して表示されることを特徴とする請求項１ないし５のいずれか記載のカメラ。
【発明の詳細な説明】
【技術分野】
【０００１】
本発明は、撮影レンズの焦点距離を変更可能で、外付けストロボ装置が着脱自在に装着されるカメラに関する。
【背景技術】
【０００２】
従来、デジタルカメラでは、カメラ前面に受光センサを設け、受光センサによって検出された光量に基づいてストロボの発光量を制御している。しかし、撮影レンズとファインダレンズのズーミング時における絞り値に変化が生じるため、ストロボの発光量の制御を適正に行うことが困難であるという問題があった。
【０００３】
このような問題を解決するために、撮影レンズの絞り値とファインダレンズの絞り値とに基づいて、ストロボの発光量を制御するための調光量を決定することによって、撮影レンズと受光センサ部のズーミング時における絞り値の変化の差を無くしたカメラが知られている（例えば、特許文献１参照）。
【特許文献１】特開２００５−１１４８３５号公報
【発明の開示】
【発明が解決しようとする課題】
【０００４】
しかしながら、上記特許文献１に記載のカメラでは、内蔵ストロボ装置や調光のための接点を有するカメラでは有効であるが、調光のための接点を持たないカメラに、外付けストロボユニットを装着して撮影する場合には、焦点距離の変更された時に撮影レンズの絞り値が変化して外付けストロボユニットに絞り値を入力し直す必要があるので、絞り値の入力操作が面倒であるという問題があった。
【０００５】
本発明は、上記事情に鑑みてなされたものであり、調光のための接点を持たないカメラで外付けストロボユニットを使用する場合でも、外付けストロボユニットの設定を容易に行うことが可能なカメラを提供することを目的とする。
【課題を解決するための手段】
【０００６】
上記課題を解決するために、本発明のカメラは、撮影レンズの焦点距離を変更可能であり、撮影者によって入力された絞り値に基づいて自動調光を行う外付けストロボユニットが着脱自在に装着されるカメラであり、被写体輝度を測光する測光手段と、前記測光手段の測光値に基づいて最適な露出値を設定する露出値設定手段と、前記露出値設定手段によって設定された前記露出値に基づいて絞り値を設定する絞り値設定手段と、前記絞り値設定手段によって設定された設定絞り値を表示する表示手段と、前記外付けストロボユニットを使用して撮影を行う外部ストロボモードに設定された場合、前記焦点距離の変更によって前記撮影レンズの開放絞り値が変化した時に、前記露出値が変動しないように絞り値を変化させ、前記表示手段を制御して、前記設定絞り値とともに、この設定絞り値が真値でないことを表示させる制御手段とを備えていることを特徴とするものである。
【０００７】
また、被写体を光電変換によって撮像する撮像手段と、前記撮像手段から出力された撮像信号を増幅する増幅手段とを備え、前記焦点距離の変更によって前記絞り値が所定の閾値となった場合、前記露出値が変動しないように、前記増幅手段のゲインを調節することが好ましい。
【０００８】
さらに、前記外部ストロボモードに設定された場合、レリーズボタンが操作されて撮影処理を実行する際に、前記露出値設定手段は、内蔵ストロボを使用して撮影を行う場合よりも前記露出値を０．８〜１．５ＥＶ減じた値に設定することが好ましい。また、被写体距離を検出する測距手段を備え、前記測距手段によって検出された前記被写体距離が所定距離以下の場合、前記撮影処理を実行する際に、前記露出値設定手段は、前記露出値をさらに０．８〜１．５ＥＶ減じた値に設定することが好ましい。なお、所定距離とは、外付けストロボユニットのストロボ光によって露光オーバーとなる可能性のある被写体距離、例えば、５ｍであり、適宜変更可能である。
【０００９】
さらに、前記外付けストロボユニットが装着される装着部と、この装着部に前記外付けストロボユニットが装着されたことを検知する検知手段とを備え、前記検知手段によって前記外付けストロボユニットの装着が検知された時に、前記外部ストロボモードに自動設定されることが好ましい。
【００１０】
また、前記外付けストロボユニットが装着された後、撮影者によって前記外付けストロボユニットに絞り値が入力されるまで、前記表示手段には、前記焦点距離の変更に基づいて前記絞り値が更新して表示されることが好ましい。
【発明の効果】
【００１１】
本発明のカメラによれば、測光によって設定された設定絞り値を表示し、焦点距離が変更された場合でも、露出値が変更されないように絞り値を変更するとともに、設定絞り値と、この設定絞り値が真値でないことを表示するので、撮影レンズの焦点距離が変更された場合でも、撮影レンズの開放絞り値の変動を意識せずに、外付けストロボユニットに設定絞り値を入力することができる。このため、外付けストロボユニットの設定を容易に行うことができる。
【００１２】
また、撮影レンズの開放絞り値の変動に対して、絞り値の変更で対応できない場合でも、増幅手段のゲインを調節して撮影感度を変更することによって、露出値を一定に保つことができる。
【００１３】
さらに、外部ストロボモードに設定された時に、内蔵ストロボを使用して撮影を行う場合よりも露出値を０．８〜１．５ＥＶ減じた値に設定することによって、露光オーバーとなることを防止するとともに、低速シャッタによる被写体ブレを防止できる。また、被写体距離が所定距離以下の場合にも同様に、露出値を０．８〜１．５ＥＶ減じた値に設定することによって、同様に、露光オーバーや被写体ブレを防止できる。
【００１４】
外付けストロボユニットの装着を検知して自動的に外部ストロボモードに設定されるので、操作性を向上させるとともに、操作ミスを防止することが可能である。また、外付けストロボユニットが装着された後、撮影者によって外付けストロボユニットに絞り値が入力されるまで、焦点距離の変更に基づいて絞り値を更新して表示するので、外付けストロボユニットに絞り値が入力されるまで、撮影者は絞り値の真値を認識することができる。
【発明を実施するための最良の形態】
【００１５】
図１に示すデジタルカメラ１０は、カメラ本体１１の前面に、撮影レンズ１２を有するレンズ鏡筒１３を備えている。このデジタルカメラ１０は、レンズ交換式のデジタルカメラであり、このレンズ鏡筒１３は、カメラ本体１１に着脱自在に装着される。また、このレンズ鏡筒１３の近傍には、装着解除ボタン１４が設けられている。この装着解除ボタン１４を押圧操作することによって、レンズ鏡筒１３をカメラ本体１１から取り外すことが可能である。
【００１６】
また、レンズ鏡筒１３は、ズームリング１５、及びフォーカスリング１６を備えている。ズームリング１５は、撮影レンズ１２の焦点距離を変更する際に操作される。また、フォーカスリング１６は、マニュアルフォーカスモードに設定されている時に撮影者によって回転操作されて、焦点調節が行われる。
【００１７】
さらに、カメラ本体１１の前面には、被写体距離を測距する測距手段である外部ＡＦセンサ１７が設けられている。外部ＡＦセンサ１７は、アクティブ方式のＡＦセンサであり、赤外線を被写体に向けて照射する投光部１７ａと、反射光を受光する受光部１７ｂとを備えている。
【００１８】
また、カメラ本体１１の上面には、電源レバー２０と、レリーズボタン２１と、モード選択ダイヤル２２と、ホットシュー２３、及びポップアップボタン２４が設けられている。電源レバー２０は撮影者によって回転操作されて、カメラ本体１１の電源がＯＮ／ＯＦＦされる。レリーズボタン２１は、２段押しのボタンであり、半押しされた時に撮影準備処理が実行され、全押しされた時に撮影処理が実行される。
【００１９】
また、モード選択ダイヤル２２は、複数の動作モードから所望の動作モードを選択する際に回転操作される。複数の動作モードとは、例えば、撮影モード、撮影画像を再生表示する再生モード、各種設定を行うセットアップモード等である。ホットシュー２３は、外付けストロボユニット４０を装着するための装着部である。ポップアップボタン２４は、内蔵ストロボ装置（図４参照）８１を使用して撮影する際に押圧操作され、内蔵ストロボ装置８１の発光窓がカメラ本体１１の前面に配置される。
【００２０】
また、図２に示すように、カメラ本体１１の背面には、被写体のフレーミングを行う際に覗き込まれる電子ビューファインダ（ＥＶＦ）２５と、スルー画像や、各種設定画面や、再生画像や、後述する設定絞り値等を表示する表示手段であるＬＣＤ２６とが設けられている。
【００２１】
さらに、この背面には、メニューボタン２７と、十字カーソルキー２８と、ディスプレイボタン２９と、切替ボタン３０と、フォーカスレバー３１とが設けられている。メニューボタン２７は、メニュー画面を表示する時に押圧操作される。また、十字カーソルキー２８は、メニュー画面内でカーソルを移動させて各種項目を選択する際に押圧操作され、前述のメニューボタン２７は、選択された項目を決定操作する際にも押圧操作される。
【００２２】
ディスプレイボタン２９は、ＬＣＤ２６の電源をＯＮ／ＯＦＦする際に押圧操作される。また、切替ボタン３０は、スルー画の表示をＥＶＦ２５とＬＣＤ２６とで切り替える際に操作される。フォーカスレバー３１は、マニュアルフォーカスモードとオートフォーカスモードとを切り替える際に操作される。
【００２３】
また、カメラ本体１１の側面には、ＵＳＢコネクタ３２、及びメモリカードスロット３３が設けられている。ＵＳＢコネクタ３２には、カメラ本体１１と外部周辺機器（例えば、パーソナルコンピュータ）とを接続する際に、ＵＳＢケーブルが差し込まれる。また、メモリカードスロット３３には、画像データが記録される記録媒体であるメモリカード（図４参照）が着脱自在に挿入される。
【００２４】
次に、外付けストロボユニット４０の構成を説明する。外付けストロボユニット４０は、図１に示すように、前面に、ストロボ発光窓４１と、受光センサ４２とを備えており、受光センサ４２は、ストロボ光の反射光を受光して光量を検出する。また、下面には、接続用の突起４３が設けられている。この突起４３は、前述のホットシュー２３に対応する形状にされており、ホットシュー２３に嵌め込むことによって、外付けストロボユニット４０がカメラ本体１１に固定される。
【００２５】
また、図３に示すように、外付けストロボユニット４０の背面には、操作部４４と、ＬＣＤ４５とが設けられている。撮影者は、デジタルカメラ１０のＬＣＤ２６に表示された絞り値を見て、この操作部４４を操作することによって絞り値を外付けストロボユニット４０に入力する。また、ＬＣＤ４５には、設定内容等の情報が表示される。
【００２６】
外付けストロボユニット４０は、撮影者によって入力された絞り値に基づいて適正光量を設定するとともに、受光センサ４２によって検出される光量が適正光量に到達した時に、自動的に発光を停止して自動調光を行う。なお、絞り値に基づいて適正光量を設定する場合を例に説明したが、これに限るものではなく、受光センサ４２の前面側に、入射光量を調節する絞りやフィルタ等を設け、操作ダイヤル等の操作部によって入力された絞り値に応じて受光センサ４２に入射する光量を調節しても良い。
【００２７】
次に、デジタルカメラ１０の電気的構成について説明する。図４に示すように、デジタルカメラ１０は、カメラ内の各部を制御する制御手段であるＣＰＵ５０を備えている。また、前述の撮影レンズ１２は、ズームレンズ５１、フォーカスレンズ５２、及び絞り５３を備えて構成されている。ズームレンズ５１は、前述のズームリング１５が回転操作された時に、ワイド端とテレ端との間で光軸方向に移動されて、撮影レンズの焦点距離が変更される。
【００２８】
また、ＣＰＵ５０には、焦点距離検出部５４が接続されている。この焦点距離検出部５４は、ズームレンズ５１の位置に基づいて焦点距離情報をＣＰＵ５０に出力する。なお、この焦点距離検出部５４は、例えば、ズームレンズ５１の移動によって変化する抵抗値によってズームレンズ５１の位置情報を取得し、この位置情報に基づいて焦点距離を検出する。
【００２９】
また、フォーカスレンズ５２は、前述のフォーカスリング１６が回転操作された時に、光軸方向に移動されて焦点調節が行われる。また、前述のフォーカスレバー３１によってオートフォーカスに設定されている場合、フォーカスレンズ５２は、モータ５５によって光軸方向に移動される。
【００３０】
また、絞り５３は、モータ５６によって駆動されて開口径が変化し、撮像手段であるＣＣＤイメージセンサ（以下、ＣＣＤと称する）５７の受光面に入射する被写体光量を制御する。モータ５５，５６は、モータドライバ５８を介してＣＰＵ５０に接続されている。モータドライバ５８は、ＣＰＵ５０からの制御信号に基づいて各モータ５５，５６に駆動パルスを送信する。各モータ５５，５６は、この駆動パルスに応じて回転駆動される。なお、モータ５５，５６としては、例えば、ステッピングモータが使用される。
【００３１】
ＣＣＤ５７は、撮影レンズ１２の背後に配置されており、この受光面には、多数の画素（フォトダイオード）が二次元的に配列されている。撮影レンズ１２を透過した被写体光は、絞り５３によって光量が調節されて入射し、ＣＣＤ５７の受光面に結像される。ＣＣＤ５７は、受光面に結像される光学的な画像を光電変換することによって撮像信号を出力する。ＣＣＤ５７は、タイミングジェネレータ（ＴＧ）６０を介してＣＰＵ５０に接続されており、ＴＧ６０から入力されるタイミング信号（クロックパルス）により、電子シャッタのシャッタ速度が決定される。
【００３２】
ＣＣＤ５７には、相関二重サンプリング回路（ＣＤＳ）６１、ＡＭＰ６２、及びＡ／Ｄ変換器６３が接続されている。撮像信号は、ＣＤＳ６１によってノイズ成分が除去され、さらに、ＡＭＰ６２は、予め設定されたゲインで撮像信号を増幅させてＡ／Ｄ変換器６３に出力する。
【００３３】
Ａ／Ｄ変換器６３は、アナログ信号である撮像信号をデジタル信号の画像データ（ＣＣＤＲＡＷデータ）に変換して、画像信号処理部６４に出力する。画像信号処理部６４は、データバス６５を介してＳＤＲＡＭ６６に接続されており、画像データを一時的にＳＤＲＡＭ６６に記憶させる。なお、撮影前のスルー画表示時には、このＳＤＲＡＭ６６に低解像度の画像データが記憶され、レリーズボタン２１が全押しされて本露光が行われた時に、高解像度の画像データが記憶される。
【００３４】
画像信号処理部６４は、画像データがＳＤＲＡＭ６６に記憶されている時に、この画像データに対して、ホワイトバランス補正処理、階調変換処理、ＲＧＢ補間処理、及びＹＣ変換処理等の各種画像処理を画像データに対して施す。
【００３５】
また、前述のデータバス６５には、ＣＰＵ５０及びＳＤＲＡＭ６６の他に、ＬＣＤドライバ６７、圧縮伸張処理回路６８、メディアコントローラ６９、ＡＥ／ＡＦ検出回路７０、ＲＯＭ７１、通信Ｉ／Ｆ７２が接続されている。
【００３６】
スルー画を表示する場合、各種画像処理が施された低解像度の画像データは、ＣＰＵ５０の指示に従ってＳＤＲＡＭ６６から順次に読み出され、ＬＣＤドライバ６７に出力される。この画像データは、ＬＣＤドライバ６７によって、ＬＣＤ２６またはＥＶＦ２５に表示可能な信号に変換されて、ＬＣＤ２６またはＥＶＦ２５にスルー画として表示される。
【００３７】
また、レリーズボタン２１が全押しされて撮影処理が実行された場合、圧縮伸張処理回路６８は、各種画像処理が施された高解像度の画像データに対して、ＪＰＥＧ等の圧縮形式で圧縮処理を施す。その後、この画像データは、メディアコントローラ６９によってメモリカード７５に記録される。また、記録画像を再生する場合、圧縮伸張処理回路６８は、メディアコントローラ６９によって読み出された画像データに対して伸張処理を施す。その後、伸張処理が施された画像データはＬＣＤ２６に表示される。
【００３８】
また、ＡＥ／ＡＦ検出回路７０は、被写体輝度を測光する測光手段であり、ＳＤＲＡＭ６６に記憶された画像データに基づいて、被写体輝度を表す測光値を算出し、この測光値をＣＰＵ５０に出力する。ＣＰＵ５０は、露出値設定手段及び絞り値設定手段であり、ＡＥ／ＡＦ検出回路７０から取得した測光値に基づいて、最適な露出値を設定するとともに、この露出値に対応する絞り値及びシャッタ速度を設定する。
【００３９】
ＣＰＵ５０は、この絞り値に基づいて、モータドライバ５８を介してモータ５６を制御することによって、絞り５２の開口径を変更し、さらにシャッタ速度に基づいて、ＣＣＤ５７の電子シャッタ速度を制御する。
【００４０】
さらに、ＡＥ／ＡＦ検出回路７０は、前述の測光処理とともにＡＦ処理を行う。つまりＡＥ／ＡＦ検出回路７０は、Ａ／Ｄ変換器６３によってデジタル信号に変換された画像データに基づいて、画像のコントラストを表すＡＦ評価値（高周波成分の振幅値）を算出して、このＡＦ評価値をＣＰＵ５０に出力する。ＣＰＵ５０は、オートフォーカスモードに設定されている時に、フォーカスレンズ５３を光軸方向に移動させながら、このＡＦ評価値を取得するとともに、このＡＦ評価値がピークとなる位置にフォーカスレンズ５３を移動させる。
【００４１】
また、ＲＯＭ７１には、絞り値テーブル７０ａが記憶されている。この絞り値テーブル７０ａは、各焦点距離に対応する開放絞り値を参照するためのテーブルである。つまり、ＣＰＵ５０は、焦点距離が変更された時に、絞り値テーブル７０ａを参照して開放絞り値を取得し、開放絞り値の変化によって露出値が変化しないように、実効絞り値を決定する。なお、本実施形態では、絞りテーブル７０ａを各焦点距離に対応する開放絞り値の参照テーブルとして説明を行うが、これに限るものではなく、例えば、焦点距離及び露出値に対応する絞り値の参照テーブルでも良い。
【００４２】
通信Ｉ／Ｆ７２には、ＵＳＢコネクタ３２が接続されている。この通信Ｉ／Ｆ７２はＣＰＵ５０によって制御され、ＵＳＢコネクタ３２に接続された外部周辺機器（例えば、パーソナルコンピュータ）との通信を行う。
【００４３】
また、前述のＣＰＵ５０には、外部ＡＦセンサ１７、レリーズボタン２１、操作部８０、ＥＥＰＲＯＭ８１、及び内蔵ストロボ装置８２が接続されている。外部ＡＦセンサ１７は、前述したように、アクティブ方式のＡＦセンサであり、被写体に照射された赤外線の反射光を受光するまでの時間に基づいて被写体距離を検出して、被写体距離情報をＣＰＵ５０に出力する。なお、外部ＡＦセンサとして、赤外線を利用するものに限らず、例えば、超音波を利用して被写体距離を検出するセンサを用いても良い。
【００４４】
オートフォーカスモードに設定されている時にレリーズボタン２１が半押しされると、ＣＰＵ５０は、外部ＡＦセンサ１７から取得した被写体距離情報に基づいて、フォーカスレンズ５３を合焦位置に移動させる。その後、ＣＰＵ５０は、前述のＡＥ／ＡＦ検出回路７０から取得したＡＦ評価値に基づいて、フォーカスレンズ５３の合焦位置を微調節する。
【００４５】
また、操作部８０は、電源レバー２０、モード選択ダイヤル２２、メニューボタン２７、十字カーソルキー２８、ディスプレイボタン２９、切替ボタン３０、及びフォーカス切替レバー３１で構成されている。ＣＰＵ５０は、レリーズボタン２１及び操作部８０から操作信号を取得し、各操作信号に対応する処理を実行する。
【００４６】
ＥＥＰＲＯＭ８１には、各種制御用のプログラムや設定情報等が記憶されている。ＣＰＵ５０は、これらの情報をＥＥＰＲＯＭ８１から作業用メモリであるＳＤＲＡＭ６６に読み出して、こられの情報に基づいて各種処理を実行する。
【００４７】
また、ＣＰＵ５０は、内蔵ストロボ装置２８を使用してストロボ撮影を行う時に、レリーズボタン２１の操作に同期して内蔵ストロボ装置８２を発光させるとともに、その発光量を調節する。
【００４８】
次に、上記構成のデジタルカメラ１０の撮影処理について、図５のフローチャートを用いて説明する。なお、ズームレンズ５１の初期位置がワイド端の場合を例に以下に説明する。
【００４９】
モード選択ダイヤル２２によって撮影モードに設定されると、ＣＰＵ５０は、ＬＣＤドライバ６７を制御して、スルー画をＬＣＤ２６に表示させる。その後、ＣＰＵ５０は、外部ストロボモードに設定されているか否かを判定する。この判定は、操作部８０によって外部ストロボモードに設定されているか否かによって行われる。外部ストロボモードに設定されていないと判定された場合、レリーズボタン２１が半押しされたか否かを判定する処理に進む。
【００５０】
また、外部ストロボモードに設定されていると判定された場合、ＣＰＵ５０は、ＡＥ／ＡＦ検出回路７０から測光値を取得し、この測光値に対応する最適な露出値を設定する。さらに、ＣＰＵ５０は、この露出値に基づいて絞り値を設定するとともに、この設定絞り値をＬＣＤ２６に表示させる。なお、この設定絞り値は、ズームレンズ５１がワイド端にある時、すなわち、ワイド端（短焦点）側の絞り値である。また、ＡＦ評価値に基づいてフォーカスレンズ５３を合焦位置に移動させる。
【００５１】
その後、ＣＰＵ５０は、焦点距離検出部５４から焦点距離情報を取得する。ＣＰＵ５０は、この焦点距離情報に基づいて、絞りテーブルを参照することによって実効絞り値を決定する。つまり、ズームレンズ５１が、ワイド端からテレ端側に移動された場合、撮影レンズ１２の焦点距離が大きくなり、撮影レンズ１２の明るさが暗くなり、開放絞り値が大きくなる。このため、露出値が変化しないように、実効絞り値は、設定絞り値よりも小さい値に設定される。
【００５２】
ＣＰＵ５０は、設定絞り値が実効絞り値よりも大きいか否かを判定する。設定絞り値が実効絞り値よりも大きくないと判定された場合、ＬＣＤ２６に「設定絞り値」が表示されたままの状態（図６（Ａ）に示す状態）となる。その後、レリーズボタン２１が半押しされたか否かを判定する処理に進む。
【００５３】
また、設定絞り値が実効絞り値よりも大きいと判定された場合、ＣＰＵ５０は、実効絞り値が、所定の閾値、例えば、開放絞り値であるか否かを判定する。実効絞り値が開放絞り値であると判定された場合、ＣＰＵ５０は、絞り値のみでは露出値を一定に保つことができないと判断し、ＡＭＰ６２のゲインをアップさせる。
【００５４】
その後、ＣＰＵ５０は、ＬＣＤドライバ６７を制御することによって、設定絞り値とともに、この絞り値が真値でないことＬＣＤ２６に表示する。例えば、図６（Ｂ）に示すように、スルー画に重ねて、設定絞り値８６と、「相当」いう文字列８６をＬＣＤ２６に表示させる。また、実効絞り値が開放絞り値ではないと判定された場合、ＡＭＰ６２のゲインを変更せずに、ＬＣＤ２６の表示は、同様に、図６（Ｂ）に示す状態となる。
【００５５】
その後、ＣＰＵ５０は、レリーズボタン２１が半押しされたか否かを判定する。半押しされていないと判定された場合、焦点距離情報を取得する処理に戻る。また、半押しされたと判定された場合、ＣＰＵ５０は、ＡＥ処理及びＡＦ処理等の撮影準備処理を実行する。
【００５６】
撮影準備処理が終了すると、ＣＰＵ５０は、レリーズボタン２１が全押しされたかを否かを判定する。全押しされていないと判定された場合、レリーズボタン２１が全押しされるまで待機状態となる。また、全押しされたと判定された場合、ＣＰＵ５０は、各部を制御して撮像処理を実行させる。なお、外部ストロボモードに設定されている場合、ＣＰＵ５０は、レリーズボタン２１の全押しに同期して外付けストロボユニット４０にトリガー信号を出力し、外付けストロボユニット４０は、撮影者によって入力された絞り値に基づいてストロボ光を自動調光する。さらに、ＣＰＵ５０は、メディアコントローラ６９を制御して、撮像された画像データをメモリカード７５に記録して撮影処理を終了する。
【００５７】
前述したように、撮影レンズ１２の焦点距離が変更操作された場合でも、ＬＣＤ２６に表示される設定絞りが変化しないため、撮影者は、撮影レンズ１２の開放絞り値の変動を意識せずに外部ストロボモードでの撮影を行うことができる。また、外付けストロボユニット４０に絞り値を入力し直す必要がないので操作性が向上する。
【００５８】
上記撮影処理の説明では、内蔵ストロボ装置８２を使用する場合と同様に露出値を設定する場合について説明したが、外付けストロボユニット４０は、内蔵ストロボ装置８２よりも発光量が大きいため、露光オーバーや、低速シャッタによって被写体ブレが生じるという問題がある。以下に、このような露光オーバーや被写体ブレを防止する撮影処理について、図７のフローチャートを用いて説明する。
【００５９】
レリーズボタン２１が半押しされるまでの処理は、前述の撮影処理と同様であるので説明を省略する。最初に、外部ストロボモードに設定されている場合について説明する。この場合、ＣＰＵ５０は、レリーズボタン２１が半押しされたか否かを判定し、半押しされていないと判定された場合、焦点距離情報を取得する処理に戻る。
【００６０】
また、レリーズボタン２１が半押しされたと判定された場合、ＣＰＵ５０は、ＡＥ／ＡＦ検出回路７０を制御して測光値を取得する。その後、ＣＰＵ５０は、この測光値に基づいて適正露出値を設定し、この適正露出値から０．８〜１．５ＥＶ分、例えば、１ＥＶ分減じた値に露出値を設定する。また、これと同時に、ＡＦ処理が行われる。その後、被写体距離が所定距離以下か否かを判定する処理に進む。
【００６１】
また、外部ストロボモードに設定されていないと判定された場合、ＣＰＵ５０は、レリーズボタン２１が半押しされたか否かを判定する。半押しされていないと判定された場合、レリーズボタン２１が半押しされるまで待機状態となる。
【００６２】
また、レリーズボタン２１が半押しされたと判定された場合、ＣＰＵ５０は、ＡＥ／ＡＦ検出回路７０を制御して測光値を取得する。その後、ＣＰＵ５０は、この測光値に基づいて決定された適正露出値を露出値に設定する。また、これと同時に、ＡＦ処理が行われる。その後、被写体距離が所定距離以下か否かを判定する処理に進む。
【００６３】
ＣＰＵ５０は、被写体距離が所定距離（例えば、５ｍ）以下か否かを判定する。所定距離以下であると判定された場合、ＣＰＵ５０は、露出値を１ＥＶ分さらに減じた値に設定する。また、所定距離以下でないと判定された場合、露出値を変更しない。
【００６４】
その後、ＣＰＵ５０は、レリーズボタン２１が全押しされたか否かを判定する。レリーズボタン２１が全押しされていないと判定された場合、レリーズボタン２１が全押しされるまで待機状態となる。また、レリーズボタン２１が全押しされたと判定された場合、ＣＰＵ５０は、前述の露出値設定に基づいて各部を制御して撮像処理を実行させる。なお、外部ストロボモードに設定されている場合、ＣＰＵ５０は、レリーズボタン２１の全押しに同期して外付けストロボユニット４０にトリガー信号を出力し、外付けストロボユニット４０は、撮影者によって入力された絞り値に基づいてストロボ光を自動調光する。さらに、ＣＰＵ５０は、メディアコントローラ６９を制御して、撮像された画像データをメモリカード７５に記録して撮影処理を終了する。
【００６５】
このように、外部ストロボモードに設定された時に、内蔵ストロボを使用して撮影を行う場合よりも露出値を０．８〜１．５ＥＶ減じた値に設定することによって、露光オーバーとなることを防止するとともに、低速シャッタによる被写体ブレを防止できる。また、被写体距離が所定距離以下の場合にも同様に、露光オーバーや被写体ブレを防止できる。
【００６６】
上記実施形態の説明において、撮影者の操作によって、外部ストロボモードに設定する場合について説明を行ったが、外付けストロボユニット４０の装着を検知して、自動的に外部ストロボモードに設定しても良い。また、外付けストロボユニット４０の絞り値設定操作に関わらず、焦点距離の変更による絞り値の変更をＬＣＤ２６の表示に反映させない場合を例に説明を行ったが、外付けストロボユニット４０に絞り値が入力される前に、絞り値の変更をＬＣＤ２６の表示に反映させても良い。以下に、これらの場合について説明する。
【００６７】
デジタルカメラ９０は、図８に示すように、外付けストロボユニット４０がホットシュー２３に装着されたことを検知する外付けストロボ検知部９１を備えている。このストロボ検知部９１は、ホットシューに２３設けられ、データバス６５を介してＣＰＵ５０に接続されている。ＣＰＵ５０は、このストロボ検知部９１から検知信号を取得した時に、外部ストロボモードに自動的に設定する。なお、その他の構成は、デジタルカメラ１０と同様であり、同じ部品には同一の符号を付して詳しい説明を省略する。
【００６８】
次に、デジタルカメラ９０の外部ストロボモードでの撮影処理について、図９のフローチャートを用いて説明する。モード選択ダイヤル２２によって撮影モードに設定されると、ＣＰＵ５０は、外付けストロボユニット４０がホットシュー２３に装着されているか否かを判定する。この判定は、検知信号を取得したか否かで行われる。
【００６９】
外付けストロボユニット４０が装着されていないと判定された場合、外付けストロボユニット４０が装着されるまで待機状態となる。また、外付けストロボユニット４０が装着されていると判定された場合、ＣＰＵ５０は、外部ストロボモードに自動的に設定する。
【００７０】
その後、ＣＰＵ５０は、ＬＣＤドライバ６７を制御してスルー画を表示させるとともに、ＡＥ／ＡＦ検出回路７０を制御して測光値を取得して、この測光値に基づいて露出値を設定する。さらに、ＣＰＵ５０は、この露出値に基づいて絞り値及びシャッタ速度を設定するとともに、ＬＣＤドライバ６７を制御して、この絞り値をＬＣＤ２６に表示させる。
【００７１】
その後、ＣＰＵ５０は、焦点距離検出部５４から焦点距離情報を取得し、開放絞り値の変化によって露出値が変化しないように絞り値を変更するとともに、ＬＣＤドライバ６７を制御して絞り値の表示を更新する。
【００７２】
その後、ＣＰＵ５０は、外付けストロボユニット４０に対して絞り値の入力が行われたか否かを判定する。この判定は、例えば、絞り値の入力が完了したことを示す操作が、撮影者によってなされたか否かによって行われる。絞り値の入力が行われていないと判定された場合、焦点距離情報を取得する処理に戻る。
【００７３】
また、絞り値の入力が行われたと判定された場合、ＣＰＵ５０は、現在の絞り値を設定絞り値として、前述の撮影処理と同様の処理を行う。つまり、ＣＰＵ５０は、焦点距離が変更された時に露出値が変化しないように実効絞り値を決定し、設定絞り値と実行絞り値とが異なる場合、図６（Ｂ）に示すように、ＬＣＤドライバ６７を制御して、「設定絞り値」８６とともに、「相当」という文字列８７をＬＣＤ２６に表示させる。
【００７４】
また、実行絞り値が所定の閾値（例えば、開放絞り値や、最小の絞り値等）に到達していると判定された場合、絞り値のみでは露出値を一定に保てないと判断して、ＣＰＵ５０は、焦点距離の変更に伴って露出値が変化しないように、ＡＭＰ６２のゲインを調節して撮影感度を変化させる。その後、同様に、設定絞り値８６とともに、「相当」という文字列８７をＬＣＤ２６に表示させる。
【００７５】
さらに、ＣＰＵ５０は、レリーズボタン２１が半押しされたか否かの判定を行う。レリーズボタン２１が半押しされていないと判定された場合、焦点距離情報を取得する処理に戻り、実効絞り値を決定する処理を繰り返し行う。また、レリーズボタン２１が半押しされたと判定された場合、測光が行われて露出値が設定されるとともに、ＡＦ処理も行われる。この時、前述の場合と同様に、露出値を０．８〜１．５ＥＶ減じても良い。
【００７６】
その後、ＣＰＵ５０は、レリーズボタン２１が全押しされたか否かの判定を行う。レリーズボタン２１が全押しされていないと判定された場合、レリーズボタン２１が全押しされるまで待機状態となる。また、レリーズボタン２１が全押しされたと判定された場合、ＣＰＵ５０は、外付けストロボユニット４０にトリガー信号を出力するとともに、前述の露出値に基づいて各部を制御して撮像処理を実行させる。この時、外付けストロボユニット４０は、撮影者によって入力された絞り値に基づいてストロボ光を自動調光する。さらに、ＣＰＵ５０は、メディアコントローラ６７を制御して、撮像された画像データをメモリカード７５に記録して撮影処理を終了する。
【００７７】
なお、上記実施形態において、絞り値、及び「絞り値が真値でない」ことを示す文字列をＬＣＤに表示する場合を例に説明したが、切替ボタンによってスルー画がＥＶＦに表示されるように設定されている場合は、絞り値をＥＶＦに表示する。また、絞り値を表示するための専用の表示手段を設けても良い。
【００７８】
また、上記実施形態において、外部ＡＦセンサによって被写体距離を検出する場合を例に説明したが、これに限るものではなく、外部ＡＦセンサがない場合には、ＣＰＵがＡＥ／ＡＦ検出回路から取得するＡＦ評価値に基づいて被写体距離を検出しても良いし、フォーカスレンズ位置に基づいて被写体距離を検出しても良い。
【００７９】
さらに、上記実施形態において、シャッタ速度を電子シャッタのみで制御する場合を例に説明を行ったが、これに限るものではなく、メカニカルシャッタと電子シャッタを併用してシャッタ速度を制御しても良い。
【００８０】
また、上記実施形態において、レンズ鏡筒がカメラ本体に着脱自在に装着されるデジタルカメラを例に説明を行ったが、これに限るものではなく、レンズ鏡筒がカメラ本体に一体に設けられていても良い。
【００８１】
さらに、上記実施形態において、本発明をデジタルカメラに適用した場合を例に説明を行ったが、これに限るものではなく、本発明を銀塩カメラに適用しても良い。この場合、焦点距離の変更によって露光値が変化しないように設定絞り値から絞り値を変更して、さらに、絞り値の変更だけで対応できない場合には、シャッタ速度を変更すれば良い。
【図面の簡単な説明】
【００８２】
【図１】デジタルカメラの前面側の構成を示す斜視図である。
【図２】デジタルカメラの背面側の構成を示す斜視図である。
【図３】外付けストロボユニットの構成を示す斜視図である。
【図４】デジタルカメラの電気的構成を示すブロック図である。
【図５】デジタルカメラの撮影処理を説明するフローチャートである。
【図６】ＬＣＤの表示画面を示す平面図である。
【図７】デジタルカメラの撮影処理を説明するフローチャートである。
【図８】デジタルカメラの電気的構成を示すブロック図であり、外部ストロボモードに自動設定される場合を示している。
【図９】デジタルカメラの外部ストロボモードでの撮影処理を説明するフローチャートである。
【符号の説明】
【００８３】
１０，９０  デジタルカメラ
１１  カメラ本体
１２  撮影レンズ
１７  外部ＡＦセンサ
２１  レリーズボタン
２３  ホットシュー
２５  ＥＶＦ
２６  ＬＣＤ
４０  外付けストロボユニット
５０  ＣＰＵ
５７  ＣＣＤ
６２  ＡＭＰ
７０  ＡＥ／ＡＦ検出回路
９１  外付けストロボ検知部
【図１】
2008046341.tif 000003
【図２】
2008046341.tif 000004
【図３】
2008046341.tif 000005
【図４】
2008046341.tif 000006
【図５】
2008046341.tif 000007
【図６】
2008046341.tif 000008
【図７】
2008046341.tif 000009
【図８】
2008046341.tif 000010
【図９】
2008046341.tif 000011